(57)【要約】【課題】効果的に水分を吸収、放出できる仕様を有する清掃用シートを提供する。【解決手段】少なくとも３層以上からなる積層構造を備えた清掃用シート１０において、積層構造は、親水性を有する親水層１と、疎水性を有する疎水層２と、親水層１及び疎水層２の間に介在する中間層３と、を備え、中間層３は、液不透過性を有する基材シートに当該基材シートを貫通する貫通孔３１を形成することで構成されている【選択図】図１
2010201112.tif 000002
【特許請求の範囲】
【請求項１】
少なくとも３層以上からなる積層構造を備えた清掃用シートにおいて、
前記積層構造は、親水性を有する親水層と、疎水性を有する疎水層と、前記親水層及び前記疎水層の間に介在する中間層と、を備え、
前記中間層は、液不透過性を有する基材シートに当該基材シートを貫通する貫通孔を形成することで構成されていることを特徴とする清掃用シート。
【請求項２】
前記貫通孔は、前記中間層の厚さ方向に対して斜めとなる方向に形成されていることを特徴とする請求項１に記載の清掃用シート。
【請求項３】
前記貫通孔は、前記親水層側の径が前記疎水層側の径に比べて大きくなっていることを特徴とする請求項１に記載の清掃用シート。
【請求項４】
前記貫通孔は、前記親水層側の径が前記疎水層側の径に比べて小さくなっていることを特徴とする請求項１に記載の清掃用シート。
【請求項５】
前記積層構造の表面を形成する表面層及び／又は裏面を構成する裏面層には、凹部及び凸部が形成されていることを特徴とする請求項１〜４の何れか一項に記載の清掃用シート。
【発明の詳細な説明】
【技術分野】
【０００１】
本発明は、清掃用シートに関する。
【背景技術】
【０００２】
近年、一般住宅において、床やトイレの汚れを除去したり、棚面の埃や毛髪類等の微細なゴミを拭き取るための清掃用シートが普及している。
一般に、この清掃用シートは、単一のまたは複数枚の不織布で形成され、水や洗浄液を含んだ状態で使用されるウェットタイプのものや、乾燥状態で使用するドライタイプのものがある。
ウェットタイプの清掃用シートの一例として、例えば、特許文献１には、親水性繊維と疎水性繊維との間に撥水層を設け、親水性繊維に含まれた液体が疎水性繊維に移行するのを遮断させる清掃シートが提案されている。
また、ドライタイプの清掃用シートの一例として、例えば、特許文献２には、樹脂フィルムの片面に、汚れの拭き取り性を有する不織布を積層し、他面に微細気泡の吸盤作用によって吸着性を有するポリマーシートを積層したワイピングシートが提案されている。
【先行技術文献】
【特許文献】
【０００３】
【特許文献１】特開２００４−３４４３６９号公報
【特許文献２】特開２００７−１５１９５０号公報
【発明の概要】
【発明が解決しようとする課題】
【０００４】
しかしながら、特許文献１の清掃シートは、拭き始めには水分の放出量が多いため、清掃対象面に液滴が残り乾くと跡がのこる恐れがある一方、拭き終わりには水分の放出量が少ないため、汚れを十分に拭き取れない恐れがあった。つまり、シート内部の水分の移動量を調整できない。また、特許文献２のワイピングシートは、不織布を用いたドライタイプのシートであって水分を吸収できない。
すなわち、特許文献１、２のシートは何れも、効果的に水分を吸収、放出できる仕様ではないという問題を有していた。
【０００５】
本発明の課題は、効果的に水分を吸収、放出できる仕様を有する清掃用シートを提供することである。特に、ウェットタイプとして使用する場合には水分の移動量を調節でき、ドライタイプとして使用する場合には一度吸収した水分が戻るのを防止できる清掃用シートを提供することである。
【課題を解決するための手段】
【０００６】
前記課題を解決するために、請求項１に記載の発明は、
少なくとも３層以上からなる積層構造を備えた清掃用シートにおいて、
前記積層構造は、親水性を有する親水層と、疎水性を有する疎水層と、前記親水層及び前記疎水層の間に介在する中間層と、を備え、
前記中間層は、液不透過性を有する基材シートに当該基材シートを貫通する貫通孔を形成することで構成されていることを特徴とする。
【０００７】
請求項２に記載の発明は、請求項１に記載の清掃用シートにおいて、
前記貫通孔は、前記中間層の厚さ方向に対して斜めとなる方向に形成されていることを特徴とする。
【０００８】
請求項３に記載の発明は、請求項１に記載の清掃用シートにおいて、
前記貫通孔は、前記親水層側の径が前記疎水層側の径に比べて大きくなっていることを特徴とする。
【０００９】
請求項４に記載の発明は、請求項１に記載の清掃用シートにおいて、
前記貫通孔は、前記親水層側の径が前記疎水層側の径に比べて小さくなっていることを特徴とする。
【００１０】
請求項５に記載の発明は、請求項１〜４の何れか一項に記載の清掃用シートにおいて、
前記積層構造の表面を形成する表面層及び／又は裏面を構成する裏面層には、凹部及び凸部が形成されていることを特徴とする。
【発明の効果】
【００１１】
本発明によれば、清掃用シートは、親水性を有する親水層と、疎水性を有する疎水層と、前記親水層及び前記疎水層の間に介在する中間層と、を備え、前記中間層は、液不透過性の基材シートに当該基材シートを貫通する貫通孔を形成することで構成されている。
よって、ウェットタイプとして使用する場合には、貫通孔によって親水層と疎水層の間を水分が移動することで水分量が調整できる。一方、ドライタイプとして使用する場合には、一度吸収した水分が戻るのを防止できる。
すなわち、水分を効果的に吸収、放出できることとなる。
【図面の簡単な説明】
【００１２】
【図１】第１実施形態の清掃用シートの一部破断外観図である。
【図２】第１実施形態の清掃用シートの拡大断面図である。
【図３】第２実施形態の清掃用シートの拡大断面図である。
【図４】第３実施形態の清掃用シートの拡大断面図である。
【図５】第４実施形態の清掃用シートの拡大断面図である。
【図６】不織布の形状の変形例を示す図である。
【図７】本発明の清掃用シートの変形例を示す図である。
【発明を実施するための形態】
【００１３】
以下、図を参照して、本発明に係る清掃用シートについて、詳細に説明する。
【００１４】
［第１実施形態］
図１は、第１実施形態における清掃用シートの一部破断外観図であり、図２は、第１実施形態における清掃用シートの拡大断面図である。
【００１５】
図１、２に示すように、本実施形態の清掃用シート１０は、２枚の不織布１、２と、２枚の不織布１、２の間に介在するフィルム３と、を備えて構成されている。
【００１６】
２枚の不織布１、２は、例えば、スパンレース、エアスルー、エアレイド、ポイントボンド、スパンボンド、ニードルパンチ等の周知の技術により製造される不織布であり、一方が親水性、他方が疎水性となるように、清掃シートの用途等に応じて選択された任意の繊維を任意の配合率で混合して製造される。
本実施形態においては、図１において表面側の不織布１を親水性を有する親水層とし、裏面側の不織布２を疎水性を有する疎水層とし、フィルム３を中間層として説明する。
【００１７】
具体的には、不織布１は、親水性を有する繊維を主体として構成されたシート材である。
親水性を有する繊維の例としては、例えば、レーヨン、リヨセル、テンセル、コットン等のセルロース系繊維などが挙げられる。これらは単独で、又は２種以上を組み合わせて用いることができる。
また、親水性の合成繊維を用いることとしても良い。親水性の合成繊維を用いることで、清掃用シート１０は、セルロース系繊維だけを使用した場合に比べて嵩高となり、ダストの絡み取り性、操作性、風合いが一層良好になる。
親水性の合成繊維としては、それ自身が親水性を有する合成樹脂からなる繊維や、それ自身は疎水性の合成樹脂であるが繊維油剤などの親水化剤による処理で親水化された繊維などが挙げられる。前者の例としては、アクリル繊維が挙げられる。後者の例としては、繊維油剤などの親水化剤による処理（表面付着処理や練り込みなど）で親水化されたポリエチレンテレフタレート繊維などが挙げられる。
【００１８】
不織布２は、疎水性を有する繊維を主体として構成されたシート材である。
疎水性を有する繊維の例としては、例えば、ポリエチレン、ポリプロピレン及びポリビニルアルコール等のポリオレフィン系繊維、ポリエチレンテレフタレート、ポリブチレンテレフタレート等のポリエステル繊維や、ナイロン等のポリアミド系繊維が挙げられる。これらは単独で、又は２種以上を組み合わせて用いることができる。
【００１９】
フィルム３は、液不透過性を有する基材シートに当該基材シートを貫通する複数の貫通孔３１・・・を形成することで構成された多孔性プラスチックシートである。
清掃用シート１０の内部では、フィルム３の貫通孔３１・・・を通じて不織布１から不織布２に水分が移動するようになっている。
フィルム３は、熱可塑性樹脂が好ましく、例えば、ポリエチレン、ポリプロピレン、エチレン・α−オレフィン共重合体、エチレン−酢酸ビニル共重合体、ポリエチレンテレフタレート、ポリアミド、ポリ塩化ビニル等が使用される。
フィルム３に貫通孔３１・・・を形成する方法としては、フィルムに電子線やエンボッシングによって穿孔し多孔化する方法、或いは樹脂に可溶性物質を混練してフィルムを形成した後、可溶性物質を溶出して多孔化する方法などがある。
この貫通孔３１・・・は、フィルム３の全面に亘り均一に配置されており、不織布２の全面に均一に水分が浸透するようになっている。
なお、貫通孔の形状は、例えば、円形、長方形、正方形、楕円形等、如何なる形状であっても良い。
【００２０】
上記の不織布１、２及びフィルム３は、略同じ大きさの矩形状に成形されており、これら３枚は、上下に積層された状態で少なくとも２箇所にて、ヒートシール、超音波接着、ホットメルト、エンボス、などの熱融着処理によって接着されて、清掃用シート１０として構成されている。このような熱融着処理による接着方式を採用することにより、別途接着剤を使用して接着した場合と比較して、接着剤の滲み出しや漏れのない見た目にも良好な製品を得ることができる。
なお、清掃用シート１０を厚手に構成する場合、或いは清掃用シート１０に含有される熱融着繊維が少量の場合には、ヒートシール、エンボスでは熱が届き難いため、超音波接着を用いることが好ましい。
また、不織布１、２をそれぞれフィルム３の両面に止着していても良いが、不織布１、２の周端部同士を直接止着することとしても良い。
【００２１】
次に、清掃用シート１０の使用方法について説明する。
なお、下記の説明においては、清掃用シートを手に保持して使用する場合を例として説明するが、清掃用シートの使用方法はこれに限定されるものではなく、例えば、棒状器具の先端部に取り付けて使用することとしても良い。
【００２２】
清掃用シート１０をウェットタイプとして使用する（清掃対象面を水拭きする）場合、まず、利用者は、清掃用シート１０を容器に入れた清掃液の中や流水中につけて軽く揉むことで、親水性の不織布１に水分を浸入させる。そして、親水性の不織布１が利用者の手と接触し、疎水性の不織布２が清掃対象面と接触するように清掃用シート１０を保持して拭き掃除を行う。
この場合、清掃用シート１０内部では、貫通孔３１・・・を通じて不織布１側から不織布２側に徐々に水分が移動するため、拭き始めと拭き終わりで清掃用シート１０から放出される水分の放出量が一定となる。
一方、清掃用シート１０をドライタイプとして使用する（清掃対象面から水分を拭き取る）場合、清掃用シート１０内部では、貫通孔３１・・・を通じて不織布２側から不織布１側に徐々に水分が移動し、親水性の不織布１で水分が保持されることとなる。
すなわち、親水性の不織布１が水分保持部として機能し、疎水性の不織布２が拭き取り部として機能し、貫通孔３１・・・を備えたフィルム３が水分移動量調節部として機能する。
【００２３】
また、逆に、親水性の不織布１に水分を浸入させ、疎水性の不織布２が利用者の手と接触し、親水性の不織布１が清掃対象面と接触するように清掃用シート１０を保持して拭き掃除を行うようにしてもよい。この場合、清掃用シート１０内部では、貫通孔３１・・・を通じて不織布１側の余分な水分が不織布１から不織布２側に移動するとともに、不織布１の水分が少なくなったら、不織布２から不織布１側に水分が移動するため、拭き始めと拭き終わりで清掃用シート１０から放出される水分の放出量が一定となる。
すなわち、親水性の不織布１が拭き取り部として機能し、疎水性の不織布２が水分保持部として機能し、貫通孔３１・・・を備えたフィルム３が水分移動量調節部として機能する。
【００２４】
以上説明したように、本実施形態の清掃用シート１０によれば、清掃用シート１０は、親水性及び疎水性を有する不織布１、２と、前記不織布１、２の間に介在するフィルム３と、を備え、前記フィルム３は、液不透過性の基材シートに当該基材シートを貫通する貫通孔を形成することで構成されているため、貫通孔３１・・・を備えたフィルム３が水分移動量調節部として機能することとなる。
よって、ウェットタイプとして使用した場合、不織布１と不織布２との間を水分が移動することで水分量が常に一定となるように調整できる。このため、拭き始めと拭き終わり水分の放出量の差を低減でき、拭き始めに水分を放出し過ぎて清掃対象面を濡らし過ぎることがなく、拭き終わりにも一定の水分が放出されるため汚れを十分に拭き取ることができる。
また、ドライタイプとして使用した場合、水分が親水層に保持され疎水層へ戻らないため、一度吸収した水分がシートの外部へ戻るのを防止することができる。
すなわち、水分を効果的に吸収、放出できることとなる。
【００２５】
［第２実施形態］
次に、本発明の第２実施形態について、第１実施形態と異なる点を中心に説明する。なお、第１実施形態と同一の構成については同一の符号を付して説明を省略する。
【００２６】
図３は、本実施形態における清掃用シート２０の拡大断面図であり、（ａ）は清掃用シート２０に圧力をかけない状態、（ｂ）は清掃用シート２０に上方から圧力をかけた状態を示している。
本実施形態の清掃用シート２０は、フィルム３の貫通孔３２・・・が、フィルム３の厚さ方向に対して斜めとなる方向に形成されている。
【００２７】
本実施形態の清掃用シート２０は、親水性の不織布１に水分を含んだウェットタイプのシートとして好適である。
つまり、清掃用シート２０は、図３（ａ）に示すように、圧力がかかっていない状態では、フィルム３の貫通孔３２・・・を通じて不織布１側から不織布２側に徐々に水分が移動する。
一方、清掃用シート２０は、図３（ｂ）に示すように、圧力をかけた状態では、貫通孔３２・・・が潰れて塞がるため水分が移動しにくくなる。
このため、清掃対象面に十分な水分が付着したと判断した場合、利用者は、清掃用シート２０を押しつぶして圧力をかけ、水分が清掃対象面に放出するのを停止させることができる。
【００２８】
以上のように、本実施形態の清掃用シート２０によれば、第１実施形態と同様の効果が得られるのは勿論のこと、不織布２に含まれる水分量が適量となるよう、清掃対象面の状態に応じて利用者が任意で水分の放出を停止させることができる。
よって、使い勝手をより良好にすることができる。
【００２９】
［第３実施形態］
次に、本発明の第３実施形態について、第１実施形態と異なる点を中心に説明する。なお、第１実施形態と同一の構成については同一の符号を付して説明を省略する。
【００３０】
図４は、本実施形態における清掃用シート３０の拡大断面図である。
本実施形態の清掃用シート３０は、フィルム３の貫通孔３３・・・が、不織布１側（親水層側）の径が、不織布２側（疎水層側）の径に比べて大きくなるように形成されている。
【００３１】
本実施形態の清掃用シート３０は、親水性の不織布１に水分を含んだウェットタイプのシートとして好適である。
つまり、清掃用シート３０は、貫通孔３３・・・をこのような形状とすることに因り、圧力がかかっていない状態では水分が移動せず若しくは移動しにくく、不織布２に水分が浸透しないようになっている。一方、圧力をかけると、不織布１側から不織布２側に水分が押し出され、不織布２に水分が浸透することとなる。
よって、利用者が清掃用シート３０に圧力をかけない場合、水分の移動が起こらず、乾いた状態の不織布２によって拭き取りが行えることとなる。
このため、清掃対象面を乾拭きしたい場合、利用者は、清掃用シート２０に圧力をかけずに払拭を行い、清掃対象面を水拭きしたい場合のみ清掃用シート２０に圧力をかけて、水分を清掃対象面に放出させることができる。
また、清掃対象面毎に所定量の水分を放出させることができる。
なお、この場合、不織布１に塗布される水分は、利用者が清掃用シート３０に所定の圧力をかけないと水分移動が起こらない程度に粘性のある液体、ゲル状又はゾル状のコロイド溶液等であることが望ましい。こうしたものを用いることで、清掃用シート３０からの意図しない水分の放出を防止できる。
【００３２】
以上のように、本実施形態の清掃用シート３０によれば、第１実施形態と同様の効果が得られるのは勿論のこと、不織布２に含まれる水分量が適量となるよう、清掃対象面の状態に応じて利用者が任意で水分の放出を行うことができる。
よって、使い勝手をより良好にすることができる。
【００３３】
［第４実施形態］
次に、本発明の第４実施形態について、第１実施形態と異なる点を中心に説明する。なお、第１実施形態と同一の構成については同一の符号を付して説明を省略する。
【００３４】
図５は、本実施形態における清掃用シート４０の拡大断面図である。
本実施形態の清掃用シート４０は、フィルム３の貫通孔３４・・・が、不織布１側（親水層側）の径が、不織布２側（疎水層側）の径に比べて小さくなるように形成されている。
【００３５】
本実施形態の清掃用シート４０は、ドライタイプのシートとして好適である。
つまり、清掃用シート４０は、貫通孔３４・・・をこのような形状とすることに因り、水分を拭き取った際、貫通孔３４・・・を通じて不織布２側から不織布１側に徐々に水分が移動し、より効果的に親水性の不織布１で水分が保持され、疎水層へ戻らないようになっている。
【００３６】
以上のように、本実施形態の清掃用シート４０によれば、第１実施形態と同様の効果が得られるのは勿論のこと、不織布１に吸収される水分を効果的に保持でき、一度吸収した水分がシートの外部へ戻るのを防止することができる。
よって、使い勝手をより良好にすることができる。
【００３７】
なお、上記実施形態においては、不織布１、２の外面（表面層及び／又は裏面層）は平坦なものであったが、例えば、図６に示すように、不織布１、２の外面に凹部５及び凸部６を形成することとしても良い。
この場合、清掃対象面との摩擦が少なくなりシートをスムーズに動かせることとなるため、効果的に集塵することができる。
また、清掃対象面とシートとの接触面積が小さくなるため、拭き始めの水分放出量を軽減することができる。
また、凸部６により汚れ掻き取り効果が向上し、また凹部５により汚れ収容効果が向上する。その結果、清掃面における汚れ除去効果を向上させることができる。
なお、凹部５及び凸部６は、不織布１、２とフィルムとを接着する際に、ヒートシール、超音波接着、ホットメルト、エンボスなどの手法によって形成することができる。
また、その際、凹部５と凸部６とで所望の絵柄を形成することとしても良い。
【００３８】
また、本発明は、少なくとの３層以上の積層構造を備えた清掃用シートであれば適用可能である。
例えば、図７（ａ）に示すように、親水性の不織布１の上面に、液不透過性の基材シートからなり液の透過を完全に遮断する遮断フィルム７と、疎水性又は親水性の不織布８と、の２層を更に積層させることとしても良い。
この場合、親水性の不織布１には予め液体を含有保持させ不織布２をウェットタイプの清掃用シートとして用いる一方で、遮断フィルム７が水分の浸透を遮断するため、遮断フィルム７の上面の不織布８はドライタイプの清掃用シートとして用いることができる。従って、一枚のシートの両面を、水拭き及び乾拭きの２つの用途に用いることができる。
また、図７（ｂ）に示すように、例えば、不織布２を２枚以上積層させ、汚れが付着したら剥がせるように構成することもできる。
【００３９】
また、貫通孔の大きさは全て同一でなくともよく、その配置も適宜設定可能である。
例えば、シートの中心に大きな貫通孔を設け、シートの周端部に沿って小さな貫通孔を設けるように形成しても良い。このように形成した場合、手の平に当たる部分に大きな貫通孔が設けられているため、シートに圧力をかけやすく、水分の調整をより行い易くすることができる。
【００４０】
また、不織布１、２が識別可能となるように着色することとしても良い。
その場合、清掃対象面と接する不織布２を濃色に着色すれば、埃などの白っぽい汚れを目立たせて、その拭き取りを確認することができる。また、不織布２を淡色に着色すれば、髪の毛などの黒っぽい汚れを目立たせて、その拭き取りを確認することができる。
また、清掃用シートに、香料、殺菌剤、防腐剤等の成分を配合することとしても良い。
【符号の説明】
【００４１】
１０    清掃用シート
１      不織布（親水層）
２      不織布（疎水層）
３      フィルム（中間層）
３１      貫通孔
５      凹部
６      凸部
【図１】
2010201112.tif 000003
【図２】
2010201112.tif 000004
【図３】
2010201112.tif 000005
【図４】
2010201112.tif 000006
【図５】
2010201112.tif 000007
【図６】
2010201112.tif 000008
【図７】
2010201112.tif 000009